(57)【要約】  頭皮のような皮膚の水分量を測定するための装置が提供される。前記装置は、（ａ）内部にセンサ回路を備える本体部分であって、前記センサ回路が、前記頭皮の水分量に関連する信号を生成するよう作動することができ、前記本体部分が第１の色を有する本体部分と、（ｂ）前記本体部分に取り付けられた取り外し可能なカバーであって、該カバーが第２の色を有する取り外し可能なカバーとを含み、（ｃ）前記第１の色及び前記第２の色は、パーソナルケア製品のカラースキームに一致し、それによって前記装置の少なくとも１つの性能特性を示唆する。
2009505713.tif 000002
【特許請求の範囲】
【請求項１】
頭皮の水分量を測定するための装置であって、該装置が、
ａ）内部にセンサ回路を備える本体部分であって、前記センサ回路が、前記頭皮の前記水分量に関連する信号を生成するよう作動することができ、前記本体部分が、第１の色を有する本体部分と、
ｂ）前記本体部分に取り付けられ、第２の色を有する取り外し可能なカバーと
を含み、
ｃ）前記第１の色及び前記第２の色が、パーソナルケア製品のカラースキームに一致し、それによって、前記装置の少なくとも１つの性能特性を示唆する、頭皮の水分量を測定するための装置。
【請求項２】
前記第１の色及び前記第２の色が、白色及び青色から成る群から選択され、好ましくは、前記第１の色が白色であり、前記第２の色が青色である、請求項１に記載の装置。
【請求項３】
頭皮の水分量を測定するための装置であって、該装置が、
ａ）内部にセンサ回路を備える本体部分であって、前記センサ回路が、前記頭皮の前記水分量に関連する信号を生成するよう作動することができる本体部分と、
ｂ）前記本体部分に取り付けられた少なくとも１つのラベルと、
ｃ）前記少なくとも１つのラベルの上に配置され、前記装置の少なくとも１つの性能特性に関連するしるしと
を含む、頭皮の水分量を測定するための装置。
【請求項４】
前記しるしが、視覚的標示である、請求項３に記載の装置。
【請求項５】
前記しるしが、叙述的標示である、請求項３に記載の装置。
【請求項６】
前記少なくとも１つの性能特性が乾燥頭皮に対する有効性である、請求項１又は３に記載の装置。
【請求項７】
皮膚の水分量を測定するための装置であって、該装置が、
ａ）内部にセンサ回路を備える本体部分であって、前記センサ回路が、前記皮膚の前記水分量に関連する信号を生成するよう作動することができる本体部分と、
ｂ）前記本体部分に取り付けられた取り外し可能なカバーと
を含み、
ｃ）前記本体部分及び前記カバーが同じ色であり、該色がパーソナルケア製品のカラースキームに一致し、それによって、前記装置の少なくとも１つの性能特性を示唆する、皮膚の水分量を測定するための装置。
【請求項８】
前記センサ回路が、１００ＫＨｚ〜３．０ＭＨｚの周波数範囲で動作する、請求項１又は７に記載の装置。
【請求項９】
前記色が青色である、請求項７に記載の装置。
【請求項１０】
前記パーソナルケア製品が、ローション、クリーム、ジェル、トニック、アフターシェーブ、スティック、スプレー、軟膏、ペースト、パウダー、ムース、シャンプー、コンディショナー、オイル、着色剤、並びに生物医学的及び皮膚科学的処置から成る群から選択される、請求項１又は７に記載の装置。
【請求項１１】
前記少なくとも１つの性能特性が、抗ふけに対する有効性である、請求項１又は７に記載の装置。
【請求項１２】
前記本体部分に取り付けられた少なくとも１つのラベルを更に含み、該ラベルが、その上に配置されたしるしを有する、請求項７に記載の装置。
【発明の詳細な説明】
【技術分野】
【０００１】
本発明は、頭皮の水分量を測定するための装置に関する。装置の有効性及び信頼性は、ヘアケア製品のブランドと関連する既存のカラースキーム及びラベリングを使用することにより伝達される。
【背景技術】
【０００２】
ヘアケアの分野では、消費者の頭皮の状態を評価することは多くの場合有益である。皮膚又は毛髪の水分レベルを決定するために、水分量を測定するための装置がこれまで開発されてきている。装置の適切な選択は、適切な選択及び使用法に関するメッセージを伝えるために、明確なラベリング及び／又は指示を必要とする。これは、印刷された文書、絵柄、図、又はラベルを介して達成される。
【発明の開示】
【発明が解決しようとする課題】
【０００３】
しかしながら、これらの装置のいずれも、ヘアケア製品のブランドが確立したのと同じ有効性及び信頼性を装置が持つことを伝達するために、ヘアケア製品のブランドと関連するカラースキーム及びラベリングを組み合わせていない。
【課題を解決するための手段】
【０００４】
１つの実施形態では、本発明は、頭皮の水分量を測定するための装置を対象としている。前記装置は、（ａ）内部にセンサ回路を備える本体部分であって、前記センサ回路が、頭皮の水分量に関連する信号を生成するよう作動することができ、前記本体部分が第１の色を有する本体部分と、（ｂ）前記本体部分に取り付けられた取り外し可能なカバーであって、該カバーが第２の色を有する取り外し可能なカバーをと含み、（ｃ）前記第１の色及び前記第２の色は、パーソナルケア製品のカラースキームに一致し、それによって装置の少なくとも１つの性能特性を示唆する。
【０００５】
別の実施形態では、本発明は：頭皮の水分量を測定するための装置を対象としており、該装置は、（ａ）内部にセンサ回路を備える本体部分であって、前記センサ回路が、頭皮の水分量に関連する信号を生成するよう作動することができる本体部分と、（ｂ）前記本体部分に取り付けられた少なくとも１つのラベルと、（ｃ）前記少なくとも１つのラベルの上に配置されたしるしであって、該しるしが前記装置の少なくとも１つの性能特性に関連するしるしとを含む。
【０００６】
更に別の実施形態では、本発明は、皮膚の水分量を測定するための装置を対象としており、該装置は、（ａ）内部にセンサ回路を備える本体部分であって、前記センサ回路が、皮膚の水分量に関連する信号を生成するよう作動することができる本体部分と、（ｂ）本体部分に取り付けられた取り外し可能なカバーとを含み、（ｃ）前記本体部分及び前記カバーは同じ色であり、該色はパーソナルケア製品のカラースキームに一致し、それによって装置の少なくとも１つの性能特性を示唆する。
【０００７】
本発明のこれらの及びその他の特徴、態様、及び利点は、本開示を読むことにより当業者に明らかになるであろう。
【発明を実施するための最良の形態】
【０００８】
本発明によると、装置は頭皮の水分量を測定するためであると記載されている。頭皮を包含する皮膚の中の水分量の決定は、皮膚の様々な物理的及び美容的特性を定量化するために使用される。例えば、低水分量を有する頭皮は不健康であり、フレーク、乾燥、突っ張り、かゆみ、及び／又は赤み／炎症を包含するふけの兆候を示す場合がある。皮膚の水和は、身体内から環境への連続的水分の流れを結果として生じる、その正常な生物活性の機能である。皮膚のバリア機能の改善は、より大きい皮膚水和及びより少ない水分損失を結果として生じる。結果として、皮膚の物理的及び美容的特性は、例えば皮膚を正常な状態に回復させ及びそのバリア機能を改善する処置によって改善される場合がある。バリア機能の改善は、また次に皮膚を環境的、物理的、化学的、又は生物学的損傷から保護する結果を生じ、及び皮膚の健康の全体的改善を結果として生じる。
【０００９】
本発明による装置が、図２に例示されている。水分量を測定するためにいずれの好適な装置が使用されてもよい。例えば、米国特許出願、題名「皮膚の水分量を指示するための方法及び装置（Method and Device for Indicating Moisture Content of Skin）」、２００５年９月２日出願、代理人整理番号１０１２１Ｐに記載されるように、インピーダンスセンサを備える電子装置は、頭皮の水分量を測定するために使用されることができる。水分量を測定するために好適な装置はまた、無線周波数、赤外線、核磁気共鳴、機械的振動、皮膚変形、イオントフォレーゼ、トポロジー、摩擦、経皮水分損失（ＴＥＷＬ）、光及び熱放散を包含する。
【００１０】
１つの実施形態では、装置１０が、形状が細長いものとして示され、及び手で使用するのに好適であるように設計されている。１つの実施例では、装置１０は、少なくとも２つの分離可能な部品、取り外し可能なカバー２０及び本体部分／ハウジング３０により提供される。カバー２０及び本体部分３０は、いずれの好適なポリマーから製造されてもよい。
【００１１】
本体部分３０はまた、頭皮の水分量に関連付けられた信号を生成するよう作動することができるセンサ回路を備える。１つの実施形態では、装置１０のセンサ回路は、他の周波数範囲も同様に可能であるが、約１００ＫＨｚ〜約３．０ＭＨｚの周波数範囲で作動する。例えば、頭皮の水分量の測定では、本発明の装置１０は、皮膚の水分量が増加するのにつれて、その有効な相対的電気インピーダンスが減少し、これがセンサ回路周波数の低減を結果として生じるという原則のもとに動作する。装置１０は、皮膚の電気インピーダンスを測定するように設計され、その測定から皮膚の水分量は決定され得る。水分量の値は、画像表示４０上、例えばＬＥＤディスプレイ上に提示されてもよい。本体部分３０の１つの末端部は、そこから伸びる複数個のピン５０を有する。１つの実施形態では、ピン５０は、不活性の良好な導電性材料、例えば金により製造されるか、又はコーティングされる。１つの実施形態では、ピンは長さが、約５ｍｍから約３０ｍｍまでの範囲ある。別の実施形態では、ピンは長さが、約１０ｍｍ〜約２０ｍｍである。更に別の実施形態では、ピンは長さが、約１５ｍｍ〜約２０ｍｍである。装置１０への電力は、ここではオン／オフボタンとして示された、接点構成要素８０を使用して、手動で停止されることができる。幾つかの実行では、スライドスイッチ又はトグルスイッチのような他の構成要素８０の種類が使用されてもよい。
【００１２】
本発明はまた、装置１０と共に使用するための特定のカラースキームに関する。本明細書で使用するとき、用語「色」は、さもなければ同一である物体を人が区別できるようにする視覚認知現象に関連する。１つの実施形態では、パーソナルケア製品のカラースキームに一致するカラースキームが、装置１０について選択される。代表的なパーソナルケア製品には、ローション、クリーム、ジェル、トニック、アフターシェーブ、スティック、スプレー、軟膏、ペースト、パウダー、ムース、シャンプー、コンディショナー、オイル、着色剤、並びに生物医学的及び皮膚科学的トリートメントを挙げてもよいが、これらに限定されない。１つの実施例では、カバー２０は第１の色、例えば青色を有し、及び本体部分３０は、第２の色、例えば白色を有する。結果として、装置１０のカラースキームは、ヘアケア製品、例えば、ヘッド・アンド・ショルダーズ（HEAD & SHOULDERS）（登録商標）シャンプーのカラースキームと一致する。別の実施例では、カバー２０及び本体部分３０は同じ色、例えば青色である。更に、パーソナルケア製品のカラースキームに一致するカラースキームの使用は、装置の性能特性を伝達する又は示唆するために使用される。
【００１３】
装置の性能特性は、装置の特定の特性の実行を認識することである。本明細書で使用するとき、用語「特性」は、装置のいずれかの独特な特色、品質又は性質を指す。性能特性の非限定例には、抗ふけの有効性、乾燥頭皮に対する有効性、頭皮ケア、乾燥皮膚の利益、及び皮膚の美容上の利益が挙げられる。別の実施形態では、装置１０は、本体部分３０に取り付けられた少なくとも１つのラベル６０を包含する。ラベル６０はその上に配置された及び装置１０の少なくとも１つの性能特性に関連するしるし７０を包含してもよい。本明細書で使用するとき、用語「ラベル」は、その上にしるしが表現される有形的表現媒体に関連し、しるしの表現には、例えばしるしを装置１０の上に直接設置すること（例えば、印刷若しくは成形すること）、又はしるしを基材の上に印刷することであって、その際基材が装置１０の外側表面上に設置されることが挙げられる。本明細書で使用するとき、用語「しるし」は識別マークに関連し、これは、例えば言葉及び／又は画像を包含してもよい。しるしの要素は、視覚的標示又は叙述的標示から選択される。１つの実施形態では、本発明の装置は、少なくとも１つのしるし要素を包含し、別の実施形態では、装置は２以上のしるし要素を包含する。
【００１４】
本明細書で使用するとき、用語「視覚的標示」には、装置の性能特性を視覚的に伝達又は示唆する、いずれの図、絵、写真、図面、絵柄、ロゴ、ホログラム、又は頭皮のスナップショットが挙げられる。視覚的標示の非限定例には、球、渦、走り書き、エンボス加工、スウッシュ（swoosh）、及び弧が挙げられる。
【００１５】
本明細書で使用するとき、用語「叙述的標示」には、装置の性能特性を伝達又は示唆する文字、数字、又はそれらの組み合わせが挙げられる。叙述的標示の非限定例には、「ｈｅａｄ  ＆  ｓｈｏｕｌｄｅｒｓ」（文書又は様式化された形態）、及び「ｈ  ＆  ｓ」（文書又は様式化された形態）が挙げられる。
【００１６】
１つの実施形態では、装置の色は、視覚的標示及び／又は叙述的標示を補完し（compliment）、それによって装置の装置性能特性を伝達又は示唆してもよい。
【実施例】
【００１７】
次の実施例は単に説明の目的だけに示されており、本発明の精神及び範囲から逸脱することなく本発明の多数の変形が可能であるため、本発明を限定するものとして解釈されるべきではない。
【００１８】
実施例１．
外見と性能特性との間の相互関係を決定するために、広範な試験が行われ、参加者は一連の絵柄を示され、及び質問表に記入するように依頼された。代表的な結果は以下の表Ｉに示されるとおりである。
【００１９】
【表１】
2009505713.tif 000003
＊頭皮の異常、例えばふけを有すると示した消費者
＊＊ヘッド・アンド・ショルダーズ（Head & Shoulders）（登録商標）ブランドのシャンプーを使用する戦略目標からの消費者
＊＊＊ヘッド・アンド・ショルダーズ（Head & Shoulders）（登録商標）ブランドのシャンプーを使用していない戦略目標からの消費者
【００２０】
本発明の「発明を実施するための最良の形態」で引用したすべての文献は、関連部分において本明細書に参考として組み込まれるが、いずれの文献の引用も、それが本発明に対する先行技術であることを容認するものと解釈されるべきではない。
【００２１】
本発明の特定の実施形態について説明し記載したが、この発明の要旨及び範囲を逸脱せずに様々なその他の変更及び修正が可能であることは当業者には明白であろう。したがって、本発明の範囲内にあるそのようなすべての変更及び修正を、添付の特許請求の範囲で扱うものとする。
【００２２】
本明細書は、本発明を特定して指摘し明白に請求する請求項を以って結論とするが、添付図面と併せた次の説明により、本発明は更によく理解されると考えられている。
【図面の簡単な説明】
【００２３】
【図１】白色及び青色のための色ライン。
【図２】本発明の１つの実施形態による装置の図。
【図１】
2009505713.tif 000004
【図２】
2009505713.tif 000005
【国際調査報告】
2009505713.tif 000006
2009505713.tif 000007